(57)【要約】【課題】  通信管理記録に記録されている通信相手先を取得する基となった送信元情報を認識することが可能なファクシミリ装置を提供する。【解決手段】  ファクシミリ装置１は、受信ＦＡＸの通信管理記録、及び通信相手先と通信相手先電話番号とが対応付けて登録された電話帳を記憶するバックアップＲＡＭ１０Ａと、ＦＡＸ受信の際に、発信電話番号通知サービスにより通知される発信元電話番号、及び／又は、送信端末識別信号に含まれる発信元電話番号を取得するとともに、取得された発信元電話番号と電話帳に登録されている通信相手先電話番号とが一致するか否かを判定し、一致した通信相手先電話番号と対応して登録されている通信相手先、及び該通信相手先を取得する基となった発信元電話番号が発信電話番号通知サービスにより通知されたものか或いは送信端末識別信号から取得されたものかを識別する識別情報を通信管理記録に記録する制御部１０とを備える。【選択図】  図１
2009272785.tif 000002
【特許請求の範囲】
【請求項１】
受信ファクシミリの通信管理記録を記憶する記憶手段と、
ファクシミリを受信する際に、受信ファクシミリの受信情報に含まれる送信元情報を取得する取得手段と、
前記取得手段により取得された前記送信元情報に基づいて前記受信ファクシミリの通信相手先を取得し、該通信相手先及び該通信相手先を取得する基となった前記送信元情報を識別する識別情報を、前記記憶手段により記憶されている前記通信管理記録に記録する記録手段と、を備えることを特徴とするファクシミリ装置。
【請求項２】
前記記憶手段は、通信相手先と通信相手先情報とが対応付けて登録された電話帳を記憶し、
前記記録手段は、前記取得手段により取得された前記送信元情報と、前記電話帳に登録されている前記通信相手先情報とが一致する場合に、該通信相手先情報に対応する通信相手先、及び前記送信元情報の識別情報を前記通信管理記録に記録する、ことを特徴とする請求項１に記載のファクシミリ装置。
【請求項３】
前記取得手段により取得される前記送信元情報は、発信電話番号通知サービスにより通知される発信元電話番号、送信端末識別信号に含まれる発信元電話番号、及び／又は、非標準機能設定信号に含まれるカナＩＤである、ことを特徴とする請求項１又は２に記載のファクシミリ装置。
【請求項４】
前記通信管理記録に記録された前記通信相手先及び前記識別情報を併せて提示する提示手段を備えることを特徴とする請求項１〜３のいずれか１項に記載のファクシミリ装置。
【発明の詳細な説明】
【技術分野】
【０００１】
本発明は、ファクシミリ通信の通信管理記録を備えるファクシミリ装置に関する。
【背景技術】
【０００２】
ファクシミリ装置には、ファクシミリ通信の通信管理情報、例えば、通信日時、通信相手先、通信モード、及び通信結果等をメモリに記録して管理する機能が備わっている（例えば特許文献１参照）。ここで、特許文献１に記載されているファクシミリ装置では、発信電話番号通知サービス（ナンバー・ディスプレイ（登録商標））、送信端末識別信号（ＴＳＩ）、及び非標準機能設定信号（ＮＳＳ）から送信元の情報を取得し、通信管理情報の通信相手先として記憶している。
【０００３】
また、ファクシミリ装置には、通信相手先及び通信相手先電話番号等を登録することができる電話帳機能を有するものがある。このような電話帳機能を有するファクシミリ装置には、ファクシミリ受信時に、発信電話番号通知サービスにより通知された発信元電話番号、又は送信端末識別信号（ＴＳＩ）から得られた発信元電話番号と、電話帳に登録されている通信相手先電話番号とを照合し、一致する通信相手先電話番号が有った場合には、該通信相手先電話番号と対応して登録されている通信相手先を通信管理情報の通信相手先に記録する機能を有するものがある。
【特許文献１】特開２００３−３０４３８２号公報
【発明の開示】
【発明が解決しようとする課題】
【０００４】
しかしながら、上述した従来のファクシミリ装置では、発信電話番号通知サービス、送信端末識別信号（ＴＳＩ）、及び非標準機能設定信号（ＮＳＳ）の内、いずれの情報源に基づいて、通信相手先が通信管理記録に記録されたのかを知ることができなかった。そのため、例えば、電話帳の通信相手先として電話番号（ファクシミリ番号）が登録されている場合には、通信管理記録の通信相手先に記録されている電話番号が、発信電話番号通知サービスに基づくものなのか、或いは送信端末識別信号（ＴＳＩ）に基づくものなのかを識別することができなかった。さらに、電話帳に間違った電話番号（ファクシミリ番号）が登録されていた場合には、受信ファクシミリの送信元を特定できなくなるおそれがあった。
【０００５】
本発明は、上記問題点を解消する為になされたものであり、通信管理記録に記録されている通信相手先を取得する基となった送信元情報を認識することが可能なファクシミリ装置を提供することを目的とする。
【課題を解決するための手段】
【０００６】
本発明に係るファクシミリ装置は、受信ファクシミリの通信管理記録を記憶する記憶手段と、ファクシミリを受信する際に、受信ファクシミリの受信情報に含まれる送信元情報を取得する取得手段と、取得手段により取得された送信元情報に基づいて受信ファクシミリの通信相手先を取得し、該通信相手先及び該通信相手先を取得する基となった送信元情報を識別する識別情報を、記憶手段により記憶されている通信管理記録に記録する記録手段と、を備えることを特徴とする。
【０００７】
本発明に係るファクシミリ装置によれば、送信元情報に基づいて取得された通信相手先に加え、該通信相手先を取得する基となった送信元情報を識別する識別情報が通信管理記録に記録される。そのため、ファクシミリ装置のユーザは、通信管理記録に記録されている識別情報から、通信相手先を取得する基となった送信元情報を認識することが可能となる。
【０００８】
本発明に係るファクシミリ装置では、記憶手段が、通信相手先と通信相手先情報とが対応付けて登録された電話帳を記憶し、記録手段が、取得手段により取得された送信元情報と、電話帳に登録されている通信相手先情報とが一致する場合に、該通信相手先情報に対応する通信相手先、及び送信元情報の識別情報を通信管理記録に記録することが好ましい。
【０００９】
この場合、電話帳に登録されている通信相手先を通信管理記録に記録することができる。そのため、例えば、通信相手先として相手先の名称等を登録しておくことにより、ユーザにより分かりやすい情報を提供することができる。また、通信相手先を取得する基となった送信元情報の識別情報が通信管理記録に記録されるため、ユーザは、この識別情報から通信管理記録に記録されている通信相手先を取得する基となった送信元情報を認識することが可能となる。
【００１０】
本発明に係るファクシミリ装置では、取得手段により取得される送信元情報が、発信電話番号通知サービスにより通知される発信元電話番号、送信端末識別信号に含まれる発信元電話番号、及び／又は、非標準機能設定信号に含まれるカナＩＤであることが好ましい。
【００１１】
この場合、発信電話番号通知サービスにより通知される発信元電話番号、送信端末識別信号に含まれる発信元電話番号、及び／又は、非標準機能設定信号に含まれるカナＩＤに基づいて、通信管理記録に記録される通信相手先を取得することができる。また、通信管理記録に記録されている通信相手先が、発信電話番号通知サービスにより通知される発信元電話番号、送信端末識別信号に含まれる発信元電話番号、及び非標準機能設定信号に含まれるカナＩＤの内、いずれの情報に基づいて取得されたかを判別することが可能となる。
【００１２】
本発明に係るファクシミリ装置は、通信管理記録に記録された通信相手先及び識別情報を併せて提示する提示手段を備えることが好ましい。
【００１３】
このようにすれば、ファクシミリ装置のユーザは、提示された通信管理記録に記載されている通信相手先及び識別情報を見ることにより、通信相手先、及び、この通信相手先を取得する基となった送信元情報を確認することが可能となる。
【発明の効果】
【００１４】
本発明によれば、ファクシミリの受信情報から取得された送信元情報に基づいて受信ファクシミリの通信相手先を取得するとともに、該通信相手先及び該通信相手先を取得する基となった送信元情報を識別する識別情報を通信管理記録に記録する構成としたので、通信管理記録に記録されている通信相手先を取得する基となった送信元情報を認識することが可能となる。
【発明を実施するための最良の形態】
【００１５】
以下、図面を参照して本発明の好適な実施形態について詳細に説明する。なお、各図において、同一要素には同一符号を付して重複する説明を省略する。また、ここでは、ファクシミリ機能を有するネットワーク複合機を例にして説明する。
【００１６】
まず、図１を用いて、実施形態に係るネットワーク複合機１の構成について説明する。図１は、ネットワーク複合機１の構成を示すブロック図である。
【００１７】
ネットワーク複合機１は、ファクシミリ（以下「ＦＡＸ」ともいう）機能に加えて、ネットワーク対応されたスキャナ、プリンタ、コピー、ＩＦＡＸ（インターネットファクシミリ）、及びサーバ機能を有するものである。また、ネットワーク複合機１は、ＦＡＸデータに含まれる送信元情報を取得し、該送信元情報に基づいて受信ＦＡＸの通信相手先（送信元名）を取得するとともに、該通信相手先及び該通信相手先を取得する基となった送信元情報を識別するための識別情報（送信元情報源）を通信（受信）管理記録に記録する機能を有する。さらに、ネットワーク複合機１は、通信管理記録に記録された通信相手先及び識別情報を併せてディスプレイに表示、又はプリントアウトすることによりユーザに提示する機能を有している。これらの各機能を実現するためにネットワーク複合機１は、制御部１０、操作部１１、表示部１２、読取部１３、記録部１４、コーデック１５、画像記憶部１６、モデム１７、ＮＣＵ１８、ＩＦＡＸ制御部１９、Ｗｅｂサーバ２１、及び、ＬＡＮインターフェース２２等を備えている。なお、各部は信号線２３で相互に通信可能に接続されている。
【００１８】
制御部１０は、演算を行うマイクロプロセッサ、マイクロプロセッサに各処理を実行させるためのプログラム等を記憶するＲＯＭ、演算結果などの各種データを一時的に記憶するＲＡＭ、及びデータがバックアップされているバックアップＲＡＭ１０Ａ等により構成されている。制御部１０は、ＲＯＭに記憶されているプログラムを実行することにより、以下に説明するネットワーク複合機１を構成する各部の機能を実現するとともに、ネットワーク複合機１を構成するハードウェアを統合的に制御する。
【００１９】
制御部１０を構成するバックアップＲＡＭ１０Ａは、ＦＡＸ通信（受信）の通信（受信）管理情報、例えば、通信相手先（送信元名）、画質、日時、時間、枚数、結果、及び識別情報等が記録された通信（受信）管理記録を記憶している。また、バックアップＲＡＭ１０Ａは、ＦＡＸ通信の通信相手先と通信相手先電話番号とが対応付けて登録された電話帳を記憶している。すなわち、バックアップＲＡＭ１０Ａは、特許請求の範囲に記載の記憶手段として機能する。
【００２０】
ここで、バックアップＲＡＭ１０Ａに記憶されている通信管理記録の一例を図４に示す。また、バックアップＲＡＭ１０Ａに記憶されている電話帳の一例を図５に示す。図４に示されるように、通信管理記録は、通信相手先（送信元名）が記録される通信相手先欄６０、通信画質（通信モード）が記録される画質欄６１、通信日時が記録される日時欄６２、通信時間が記録される時間欄６３、通信枚数が記録される枚数欄６４、通信結果が記録される結果欄６５、及び、識別情報（送信元情報源）が記録される識別情報欄６６から構成されている。なお、図４に示された例では、ＡＡＡ  Ｃｏ．，ＢＢＢ  ＬＬＰ，ＣＣＣ  Ｃｏ．，ＤＤＤ  ＰＯを通信相手先（送信元）とする４件の通信(受信)管理記録が記憶されている。
【００２１】
また、図５に示されるように、電話帳は、通信相手先（宛先名）が登録される通信相手先欄７０、及び、通信相手先電話番号（ＦＡＸ番号）が登録される通信相手先電話番号欄７１から構成されている。なお、図５に示された例では、４件の通信相手先（宛先名）及び通信相手先電話番号（ＦＡＸ番号）が登録されている。
【００２２】
制御部１０は、ＦＡＸを受信する際に、ＦＡＸデータに含まれる送信元情報を取得する。より具体的には、制御部１０は、ＦＡＸを受信する際に、発信電話番号通知サービスにより通知される発信元電話番号、送信端末識別信号（ＴＳＩ）に含まれる発信元電話番号、及び、非標準機能設定信号（ＮＳＳ）に含まれるカナＩＤを取得する。
【００２３】
また、制御部１０は、ＦＡＸデータから取得された発信元電話番号と、電話帳に登録されている通信相手先電話番号とを照合し、双方が一致する場合に、一致した通信相手先電話番号と対応して電話帳に登録されている通信相手先、及び、該通信相手先を取得する基となった発信元電話番号が、発信電話番号通知サービスにより通知されたものか、或いは送信端末識別信号（ＴＳＩ）から取得されたものかを識別するための識別情報を通信管理記録に記録する。さらに、制御部１０は、非標準機能設定信号（ＮＳＳ）に含まれるカナＩＤが取得された場合には、このカナＩＤを通信管理記録の通信相手先に記録するとともに、非標準機能設定信号（ＮＳＳ）から取得されたものであることを示す識別情報を通信管理記録に記録する。なお、ここで、発信元電話番号等の送信元情報が、発信電話番号通知サービスにより通知されたものである場合には例えば「１」を、送信端末識別信号（ＴＳＩ）から取得されたものである場合には「２」を、非標準機能設定信号（ＮＳＳ）から取得されたものである場合には「３」を、識別情報として通信管理記録に記録する（図４参照）。すなわち、制御部１０は、特許請求の範囲に記載の取得手段及び記録手段として機能する。
【００２４】
操作部１１は、ネットワーク複合機１の各機能を利用するために用いられる複数のキー、例えば、テンキー、短縮キー、スタートキー、ストップキー、及び各種のファンクションキー等を備えている。ネットワーク複合機１のユーザは、操作部１１が備えている各キーを操作して、バックアップＲＡＭ１０Ａに記憶されている送信管理記録を表示させたり、プリントアウトすることができる。
【００２５】
表示部１２は、ＬＣＤ等を用いた表示装置であり、ネットワーク複合機１の動作状態及び／又は各種設定内容等を表示する。また、表示部１２は、バックアップＲＡＭ１０Ａに記憶されている通信管理記録を表示してユーザに提示する。すなわち、表示部１２は特許請求の範囲に記載の提示手段として機能する。
【００２６】
読取部１３は、光源及びＣＣＤ等によって構成されており、紙文書等の原稿を設定された副走査線密度に応じてライン毎に読み取り、画像データを生成する。記録部１４は、電子写真方式のプリンタであり、読取部１３により読み取られた画像データ、及び、ファクシミリで受信された画像データ等を用紙にプリントアウトする。また、記録部１４は、上述した通信管理記録をプリントアウトしてユーザに提示する。すなわち、記録部１４も特許請求の範囲に記載の提示手段として機能する。
【００２７】
ここで、通信管理記録に記録されている通信相手先、及び識別情報が表示又はプリントアウトされる際には、通信相手先とともに、識別情報に応じたマーク（アイコン）等が表示又は印字される。上述した例ように、識別情報として「１」が記録されている場合には、例えば、楕円形又は矩形の枠内に「ＮＤ」の文字が記載されたマークが表示又は印字される。また、識別情報として「２」が記録されている場合には、例えば、楕円形又は矩形の枠内に「ＴＳＩ」の文字が記載されたマークが表示又は印字される。同様に、識別情報として「３」が記録されている場合には、例えば、楕円形又は矩形の枠内に「カナＩＤ」の文字が記載されたマークが表示又は印字される。
【００２８】
コーデック１５は、読取部１３で読み取られた画像データを符号化圧縮（以下、単に「符号化」という）するとともに符号化されている画像データを復号する。画像記憶部１６は、ＤＲＡＭ等で構成されており、コーデック１５で符号化された画像データ、及びファクシミリ受信された画像データ等を記憶する。
【００２９】
モデム（変復調器）１７は、ディジタル信号とアナログ信号との間の変復調を行う。また、モデム１７は、ディジタル命令信号（ＤＣＳ）等の各種機能情報の発生及び検出を行う。ＮＣＵ（Ｎｅｔｗｏｒｋ  Ｃｏｎｔｒｏｌ  Ｕｎｉｔ）１８は、モデム１７と接続されており、モデム１７と公衆交換電話網（ＰＳＴＮ）５０との接続を制御する。また、ＮＣＵ１８は、送信先のファクシミリ番号に対応した呼出信号の送出、及びその着信を検出する機能を備えている。
【００３０】
ＩＦＡＸ制御部１９は、読み取った送信原稿をＴＩＦＦ形式等の画像データとして電子メールに添付し、メールアドレス（ＳＭＴＰサーバ）宛てに送信するとともに、設定された時間毎にＰＯＰサーバから電子メールを受信してプリントアウトするインターネットＦＡＸ（ＩＦＡＸ）機能を司る。
【００３１】
Ｗｅｂサーバ２１は、例えばＨＴＭＬで記述されたホームページ、ログインページ、及びファクシミリ操作ページ等のデータに対して、クライアント端末からアクセスして所定のＨＴＴＰタスクを実行することを可能にする。ＬＡＮインターフェース２２は、ルータ３０等が接続されたＬＡＮ５１に接続され、インターネット５２からの信号をルータ３０を介して受信するとともに、ＬＡＮ５１に対して信号やデータを送信する。ＬＡＮインターフェース２２は、信号変換及びプロトコル変換等のインターフェース処理を実行するとともに、データ通信中の通信エラーを検出する。
【００３２】
次に、図２及び図３を併せて参照しつつ、ネットワーク複合機１の動作について説明する。図２は、ネットワーク複合機１による通信管理記録処理の処理手順を示すフローチャートの前半部分である。また、図３は、通信管理記録処理の処理手順を示すフローチャートの後半部分である。なお、この通信管理記録処理は、ＦＡＸが受信される際に起動され実行される。
【００３３】
ステップＳ１００では、メモリの初期化が行われる。すなわち、制御部１０を構成するＲＡＭ内の、非標準機能設定信号（ＮＳＳ）から取得されるカナＩＤ（以下、単に「カナＩＤ」ともいう）を一時的に記憶する領域８０（図６参照）、送信端末識別信号（ＴＳＩ）から取得される発信元電話番号（以下「ＴＳＩ情報」ともいう）を一時的に記憶する領域８１、発信電話番号通知サービスにより通知される発信元電話番号（以下「ナンバーディスプレイ情報」ともいう）を一時的に記憶する領域８２、電話帳等から取得される通信相手先（送信元名）を一時的に記憶する領域８３、及び、通信相手先を取得する基となった送信元情報（カナＩＤ、ＴＳＩ情報、ナンバーディスプレイ情報）を識別するための識別情報を一時的に記憶する領域８４がクリアされて初期化される。なお、図６は、ＲＡＭ（メモリ）内の所定のアドレスに割り付けられた各記憶領域８０〜８４の一例を示す図である。
【００３４】
続くステップＳ１０２では、ＦＡＸデータから、カナＩＤ、ＴＳＩ情報、及び／又は、ナンバーディスプレイ情報が取得される。すなわち、非標準機能設定信号（ＮＳＳ）からカナＩＤが取得された場合には、このカナＩＤが、ステップＳ１００でクリアされたカナＩＤを一時的に記憶する領域８０に格納される。また、送信端末識別信号（ＴＳＩ）から発信元電話番号が取得された場合には、この発信元電話番号（ＴＳＩ情報）が、ステップＳ１００でクリアされたＴＳＩ情報を一時的に記憶する領域８１に格納される。さらに、発信電話番号通知サービスによって発信元電話番号が通知されたときには、この発信元電話番号（ナンバーディスプレイ情報）が、ステップＳ１００でクリアされたナンバーディスプレイ情報を一時的に記憶する領域８２に格納される。
【００３５】
次に、ステップＳ１０４では、ナンバーディスプレイ情報が取得されたか否かについての判断、すなわち、ナンバーディスプレイ情報を一時的に記憶する領域８２にナンバーディスプレイ情報が格納されているか否かについての判断が行われる。ここで、ナンバーディスプレイ情報が取得されていない場合には、ステップＳ１１４に処理が移行する。一方、ナンバーディスプレイ情報が取得されているときには、ステップＳ１０６に処理が移行する。
【００３６】
ステップＳ１０６では、取得されたナンバーディスプレイ情報、すなわち発信電話番号通知サービスによって通知された発信元電話番号と、電話帳に登録されている通信相手先電話番号との照合が行われる。
【００３７】
そして、続くステップＳ１０８において、ステップＳ１０６での照合結果に基づいて、取得されたナンバーディスプレイ情報と一致する通信相手先電話番号が電話帳に登録されているか否かについての判断が行われる。ここで、ナンバーディスプレイ情報と一致する通信相手先電話番号が電話帳に登録されていない場合には、ステップＳ１１４に処理が移行する。一方、ナンバーディスプレイ情報と一致する通信相手先電話番号が電話帳に登録されているときには、ステップＳ１１０に処理が移行する。
【００３８】
ステップＳ１１０では、一致した通信相手先電話番号に対応して電話帳に登録されている通信相手先（送信元名）が、ステップＳ１００でクリアされた、通信相手先を一時的に記憶する領域８３に格納される。
【００３９】
続いて、ステップＳ１１２では、通信相手先を取得する基となったナンバーディスプレイ情報、すなわち発信元電話番号（送信元情報）が、発信電話番号通知サービスにより通知されたものであることを識別するための識別情報（例えば「１」等）が、ステップＳ１００でクリアされた、識別情報を一時的に記憶する領域８４に格納される。
【００４０】
続いて、ステップＳ１１４では、ＴＳＩ情報が取得されたか否かについての判断、すなわち、ＴＳＩ情報を一時的に記憶する領域８１にＴＳＩ情報が格納されているか否かについての判断が行われる。ここで、ＴＳＩ情報が取得されていない場合には、ステップＳ１２４に処理が移行する。一方、ＴＳＩ情報が取得されているときには、ステップＳ１１６に処理が移行する。
【００４１】
ステップＳ１１６では、取得されたＴＳＩ情報、すなわち送信端末識別信号（ＴＳＩ）から取得された発信元電話番号と、電話帳に登録されている通信相手先電話番号との照合が行われる。
【００４２】
そして、続くステップＳ１１８において、ステップＳ１１６での照合結果に基づいて、取得されたＴＳＩ情報と一致する通信相手先電話番号が電話帳に登録されているか否かについての判断が行われる。ここで、ＴＳＩ情報と一致する通信相手先電話番号が電話帳に登録されていない場合には、ステップＳ１２４に処理が移行する。一方、ＴＳＩ情報と一致する通信相手先電話番号が電話帳に登録されているときには、ステップＳ１２０に処理が移行する。
【００４３】
ステップＳ１２０では、一致した通信相手先電話番号に対応して電話帳に登録されている通信相手先（送信元名）が、ＲＡＭ内の通信相手先を一時的に記憶する領域８３に格納される。
【００４４】
続いて、ステップＳ１２２では、通信相手先を取得する基となったＴＳＩ情報、すなわち発信元電話番号（送信元情報）が、送信端末識別信号（ＴＳＩ）から取得されたものであることを識別するための識別情報（例えば「２」等）が、ＲＡＭ内の識別情報を一時的に記憶する領域８４に格納される。
【００４５】
続いて、ステップＳ１２４では、通信相手先（送信元名）が得られたか否かについての判断、すなわち、通信相手先（送信元名）を一時的に記憶する領域８３に通信相手先が格納されているか否かについての判断が行われる。ここで、通信相手先が得られている場合には、ステップＳ１３２に処理が移行する。一方、通信相手先がまだ得られていないときには、ステップＳ１２６に処理が移行する。
【００４６】
ステップＳ１２６では、カナＩＤが取得されたか否かについての判断、すなわち、カナＩＤを一時的に記憶する領域８０にカナＩＤが格納されているか否かについての判断が行われる。ここで、カナＩＤが取得されていない場合には、ステップＳ１３２に処理が移行する。一方、カナＩＤが取得されているときには、ステップＳ１２８に処理が移行する。
【００４７】
ステップＳ１２８では、取得されたカナＩＤが、ＲＡＭ内の通信相手先を一時的に記憶する領域８３に格納される。
【００４８】
続いて、ステップＳ１３０では、通信相手先を取得する基となったカナＩＤが、非標準機能設定信号（ＮＳＳ）から取得されたものであることを識別するための識別情報（例えば「３」等）が、ＲＡＭ内の識別情報を一時的に記憶する領域８４に格納される。
【００４９】
そして、続くステップＳ１３２において、ステップＳ１１０、Ｓ１２０、又はＳ１２８においてＲＡＭ内に格納された通信相手先、及び、ステップＳ１１２、１２２、又は１３０においてＲＡＭ内に格納された識別情報それぞれが、バックアップＲＡＭ１０Ａに記憶されている通信管理記録の通信相手先欄６０及び識別情報欄６６に記録される。
【００５０】
なお、バックアップＲＡＭ１０Ａに記憶された通信管理記録は、ファクシミリ装置１のユーザの要求に応じて、又は所定のタイミングで、表示部１２に表示され、或いは記録部１４によってプリントアウトされる。
【００５１】
本実施形態によれば、発信電話番号通知サービスにより通知される発信元電話番号、送信端末識別信号（ＴＳＩ）に含まれる発信元電話番号、及び／又は、非標準機能設定信号（ＮＳＳ）に含まれるカナＩＤに基づいて、通信管理記録に記録される通信相手先を取得することができる。
【００５２】
また、本実施形態によれば、通信相手先に加えて、該通信相手先を取得する基となった発信元電話番号等の送信元情報が、発信電話番号通知サービスにより通知されたものか、送信端末識別信号（ＴＳＩ）から取得されたものか、或いは非標準機能設定信号（ＮＳＳ）から取得されたものかを識別するための識別情報が通信管理記録に記録される。そのため、ファクシミリ装置１のユーザは、通信管理記録に記録されている識別情報に基づいて、通信管理記録に記録されている通信相手先が、発信電話番号通知サービスにより通知される発信元電話番号（ナンバーディスプレイ情報）、送信端末識別信号に含まれる発信元電話番号（ＴＳＩ情報）、及び非標準機能設定信号に含まれるカナＩＤの内、いずれの送信元情報に基づいて取得されたかを認識することが可能となる。
【００５３】
また、本実施形態によれば、電話帳に登録されている通信相手先が通信管理記録に記録されるため、例えば、通信相手先として相手先の名称等を電話帳に登録しておくことにより、ユーザにより分かりやすい情報を提供することが可能となる。
【００５４】
本実施形態によれば、通信管理記録に記録された通信相手先及び識別情報を併せて表示、又はプリントアウトすることができる。そのため、ファクシミリ装置１のユーザは、表示又はプリントアウトされた通信管理記録に記載されている通信相手先及び識別情報を見ることにより、通信相手先、及び、この通信相手先を取得する基となった送信元情報（ナンバーディスプレイ情報、ＴＳＩ情報、又はカナＩＤ）を確認することが可能となる。その結果、例えば、電話帳に間違った通信相手先電話番号（ＦＡＸ番号）が登録されていた場合であっても、受信ＦＡＸの送信元を特定することが可能となる。
【００５５】
以上、本発明の実施の形態について説明したが、本発明は、上記実施形態に限定されるものではなく種々の変形が可能である。例えば、上記実施形態では、ＦＡＸ機能を有するネットワーク複合機に本発明を適用したが、本発明は、単機能のファクシミリ装置又はネットワークファクシミリ装置に適用することもできる。
【図面の簡単な説明】
【００５６】
【図１】実施形態に係るネットワーク複合機の構成を示すブロック図である。
【図２】実施形態に係るネットワーク複合機による通信管理記録処理の処理手順を示すフローチャート（前半部分）である。
【図３】実施形態に係るネットワーク複合機による通信管理記録処理の処理手順を示すフローチャート（後半部分）である。
【図４】通信管理記録の一例を示す図である。
【図５】電話帳の一例を示す図である。
【図６】メモリ内に割り付けられた記憶領域の一例を示す図である。
【符号の説明】
【００５７】
１  ネットワーク複合機
１０  制御部
１０Ａ  バックアップＲＡＭ
１１  操作部
１２  表示部
１３  読取部
１４  記録部
１５  コーデック
１６  画像記憶部
１７  モデム
１８  ＮＣＵ
１９  ＩＦＡＸ制御部
２１  Ｗｅｂサーバ
２２  ＬＡＮインターフェース
３０  ルータ
５０  ＰＳＴＮ
５１  ＬＡＮ
５２  インターネット
【図１】
2009272785.tif 000003
【図２】
2009272785.tif 000004
【図３】
2009272785.tif 000005
【図４】
2009272785.tif 000006
【図５】
2009272785.tif 000007
【図６】
2009272785.tif 000008